(57)【要約】【課題】１つの蒸発器で冷凍室と冷蔵室を冷却する冷蔵庫において、着霜時の冷却能力を高める。【解決手段】蒸発器カバー２６の冷凍室戻り風路３０の開口部下面と蒸発器２３の下面とは距離Ａだけ冷凍室戻り風路３０の開口部下面を上方に配置させているので、冷蔵室１５、野菜室１６からの戻り冷気による着霜は蒸発器２３の下方奥面から付着させ、冷凍室１４からの戻り冷気による着霜は蒸発器２３の前面の中下段より付着させることにより、蒸発器２３の下部の集中的着霜による目詰まりを防止でき、着霜時の冷却能力を高めることができる。【選択図】　図３
2004085070.tif 000002
【特許請求の範囲】
【請求項１】
最下段に配置した冷凍室と、上部に配置した冷蔵室と、前記冷凍室背面に配置した蒸発器と、前記蒸発器の上方に配置した送風機と、前記蒸発器背面に設けた前記冷蔵室の戻り風路と、前記蒸発器前面に蒸発器カバーを有する冷蔵庫において、前記蒸発器カバーに前記冷凍室の戻り風路を設け、前記冷凍室の戻り風路の開口部下面を前記蒸発器の下面よりも上方に配置させることを特徴とする冷蔵庫。
【請求項２】
蒸発器カバーに設けた戻り風路の開口部高さ寸法を、蒸発器の奥行き寸法よりも小さくしたことを特徴とする請求項１記載の冷蔵庫。
【請求項３】
蒸発器カバーに設けた戻り風路の開口部上面位置を、蒸発器の高さ方向の中央部以下としたことを特徴とする請求項１または２に記載の冷蔵庫。
【請求項４】
蒸発器カバーの戻り風路の前面にガイダーを設けたことを特徴とする請求項１から請求項３のいずれか一項に記載の冷蔵庫。
【請求項５】
ガイダーは冷凍室前方に向かって下方に傾斜して形成したことを特徴とする請求項４に記載の冷蔵庫。
【請求項６】
蒸発器カバーに設けた戻り風路の開口部上面形状を、蒸発器側に向かって下方に傾斜して形成したことを特徴とする請求項１から請求項５のいずれか一項に記載の冷蔵庫。
【請求項７】
蒸発器カバーに設けた戻り風路の開口部下面形状を、蒸発器側に向かって下方に傾斜して形成したことを特徴とする請求項１から請求項６のいずれか一項に記載の冷蔵庫。
【請求項８】
蒸発器側に向かって下方に傾斜して形成する角度を水平面から４５°以内としたことを特徴とする請求項６または７に記載の冷蔵庫。
【請求項９】
蒸発器カバーに設けた戻り風路の開口部上面の最奥部位置を、開口部下面の最奥部位置より奥側（蒸発器側）に位置することを特徴とする請求項１から請求項８のいずれか一項に記載の冷蔵庫。
【発明の詳細な説明】
【０００１】
【発明の属する技術分野】
本発明は冷蔵庫の蒸発器周辺の風路に関するものである。
【０００２】
【従来の技術】
従来、冷蔵庫の蒸発器周辺には、冷気を送出するファンと前記ファンの風路を形成するダクトが設置されている。これらに関するものとしては、特開平７−２７００２８号公報が挙げられる。
【０００３】
以下、図面を参照しながら上記従来の冷蔵庫を説明する。
【０００４】
図５は従来の冷蔵庫の冷却室断面図である。１は蒸発器で冷凍室３の奥面に配置し、蒸発器１の上方に送風機２を設け、蒸発器１の前面には蒸発器カバー４を有し、上部に吐出口５、下部に吸込み口６を設けてある。７は断熱部材で蒸発器１と蒸発器カバー４の間に配置している。８は除霜手段としてのラジラントヒータで、蒸発器１の下方に配置している。９は冷蔵室で、冷凍室３の上方に位置し、冷蔵室９からの戻り風路１０は、蒸発器１の側面上方より下方に配置し、戻り風路１０の下部に戻り口１１を有している。また、断熱部材７の下部で蒸発器１側にはバイパス風路１２を設けている。
【０００５】
以上のように構成された従来の冷蔵庫について、以下その動作を説明する。
【０００６】
蒸発器１で冷却された冷気は、送風機２により蒸発器カバー４の吐出口５から冷凍室３内に吐出され、下部の吸込み口６から蒸発器１に戻る。送風機２からの冷気の一部はダンパ（図示せず）を介して冷蔵室９に吐出され、戻り風路１０から蒸発器１に戻る。上記動作を繰り返し冷凍室３および冷蔵室９を所定の温度に冷却する。蒸発器１には冷凍室３および冷蔵室９からの水分により霜が生成され、一定の運転時間ごとにラジラントヒータ８に通電し除霜を行なう。
【０００７】
【発明が解決しようとする課題】
しかしながら、上記従来の構成では、冷凍室３からの吸込み口６が蒸発器１の下面よりも下方に位置しているので、蒸発器１の下部に集中して付着する。また、下部に集中して付着した場合を想定してバイパス風路１２を設け着霜の均一化を図っているが、冷蔵室９からの戻り風路１０の下部の戻り口１１も蒸発器１の下方に位置しているので、蒸発器１の下部に集中して付着し、目詰まりを起しやすいという課題を有していた。
【０００８】
また、ラジラントヒータ８による除霜時、除霜水の一部が断熱部材７を伝って吸込み口６から冷凍室３内に水漏れするという課題を有していた。
【０００９】
本発明は従来の課題を解決するもので、１つの蒸発器で冷凍室と冷蔵室を冷却する冷蔵庫の耐着霜能力を高めることで着霜時の冷却能力を確保するとともに、吸込み口からの冷凍室内への水漏れ防止を図る冷蔵庫を提供することを目的とする。
【００１０】
【課題を解決するための手段】
本発明の請求項１に記載の発明は、最下段に配置した冷凍室と、上部に配置した冷蔵室と、前記冷凍室背面に配置した蒸発器と、前記蒸発器の上方に配置した送風機と、前記蒸発器背面に設けた前記冷蔵室の戻り風路と、前記蒸発器前面に蒸発器カバーを有する冷蔵庫において、前記蒸発器カバーに前記冷凍室の戻り風路を設け、前記冷凍室の戻り風路の開口部下面を前記蒸発器の下面よりも上方に配置させるものであり、冷蔵室からの戻り冷気による着霜は蒸発器下方奥面から付着させ、冷凍室からの戻り冷気による着霜は蒸発器前面の中下段より付着させることにより、蒸発器下部の集中的付着を防止でき、着霜時の冷却能力を高めることができる。
【００１１】
請求項２に記載の発明は、請求項１に記載の発明において、蒸発器カバーに設けた戻り風路の開口部高さ寸法を、蒸発器の奥行き寸法よりも小さくしたものであり、冷蔵室、野菜室からの戻り冷気による着霜は蒸発器の奥面を中心に、冷凍室からの戻り冷気による着霜は蒸発器の前面を中心にさせることで、蒸発器の下部の集中的着霜による目詰まりを防止でき、着霜時の冷却能力を高めることができる。また、冷凍室戻り冷気の蒸発器での熱交換長さ（熱交換量）を大きくすることができ、着霜初期の冷却能力を高めることができる。
【００１２】
請求項３に記載の発明は、請求項１または２に記載の発明において、蒸発器カバーに設けた戻り風路の開口部上面位置を、蒸発器の高さ方向の中央部以下としたものであり、冷凍室戻り冷気は少なくとも蒸発器高さの半分以上と熱交換することになり、着霜時の冷却能力を高めることができる。
【００１３】
請求項４に記載の発明は、請求項１から請求項３のいずれか一項に記載の発明において、蒸発器カバーの戻り風路の前面にガイダーを設けたものであり、冷凍室底面付近の冷気対流を向上し、澱みを低減することができ、冷凍室内の温度分布改善を図ることができる。また、蒸発器の除霜時に除霜用ヒータの熱が冷凍室庫内に流入しにくくなるので冷凍室の昇温を抑制することができる。加えて、除霜を効率よく行うことができる。
【００１４】
請求項５に記載の発明は、請求項４に記載の発明において、ガイダーは冷凍室前方に向かって下方に傾斜して形成したものであり、冷凍室底面付近の冷気対流を確実に向上でき、澱みを低減することで、さらに冷凍室内の温度分布改善を図ることができる。
【００１５】
請求項６に記載の発明は、請求項１から請求項５のいずれか一項に記載の発明において、蒸発器カバーに設けた戻り風路の開口部上面形状を、蒸発器側に向かって下方に傾斜して形成したものであり、除霜時に戻り風路の開口部付近に付着した除霜水を蒸発器側に流すことができ、冷凍室内への除霜水の流入を防止できる。
【００１６】
請求項７に記載の発明は、請求項１から請求項６のいずれか一項に記載の発明において、蒸発器カバーに設けた戻り風路の開口部下面形状を、蒸発器側に向かって下方に傾斜して形成したものであり、除霜時に戻り風路の開口部付近に付着した除霜水を蒸発器側に確実に流すことができ、冷凍室内への除霜水の流入防止効果が高まる。
【００１７】
請求項８に記載の発明は、請求項６または７に記載の発明において、蒸発器側に向かって下方に傾斜して形成する角度を水平面から４５°以内としたものであり、除霜時に戻り風路の開口部付近に付着した除霜水を蒸発器側に確実に流すことができ、冷凍室内への除霜水の流入防止効果が高まるとともに、戻り冷気の風向を水平面から４５°以内に抑えることで蒸発器での冷気対流に問題が生じない。
【００１８】
請求項９に記載の発明は、請求項１から請求項８のいずれか一項に記載の発明において、蒸発器カバーに設けた戻り風路の開口部上面の最奥部位置を、開口部下面の最奥部位置より奥側（蒸発器側）に位置するものであり、開口部上面に付着した除霜水を蒸発器側に確実に流すことができ、冷凍室内への除霜水の流入防止効果がさらに高まる。
【００１９】
【発明の実施の形態】
以下、本発明による冷蔵庫の実施の形態について、図面を参照しながら説明する。
【００２０】
（実施の形態１）
図１は、本発明の実施の形態１による冷蔵庫の正面図、図２は同実施の形態の冷蔵庫の側面断面図、図３は同実施の形態の冷蔵庫の冷凍室側面断面図である。
【００２１】
図１、２、３において、１３は冷蔵庫本体で、冷蔵庫本体１３の内部の最下段には冷凍室１４を配置している。また、冷蔵庫本体１３の上段には冷蔵室１５、中段には野菜室１６を配置している。１７は冷凍室扉、１８は冷蔵室扉、１９は野菜室扉である。２０は断熱仕切壁で、冷凍室１４と野菜室１６を仕切っている。２１は仕切板で、冷蔵室１５と野菜室１６を仕切っている。
【００２２】
冷蔵庫本体１３の下部背面片側に機械室を有し、内部に圧縮機２２を配している。２３は蒸発器で、冷凍室１４の片側奥面に配し、断熱材を介して圧縮機２２の横に配置している。２４は送風機で、蒸発器２３の上部に傾斜して配置している。２５は除霜手段としてのラジアントヒータで、蒸発器２３の下方に設けてある。２６は蒸発器カバーで、樹脂製のカバーコイル２７と断熱部材２８を組み込み蒸発器カバー２６を形成している。蒸発器カバー２６は蒸発器２３の前面に位置し、蒸発器カバー２６の上部には吐出口２９を、下部には冷凍室戻り風路３０を有している。３１は冷蔵室吐出風路で、ダンパー３２を介して冷蔵室１５、野菜室１６に冷気を吐出する。３３は冷蔵室戻り風路で、蒸発器２３の背面に位置し蒸発器２３の下方に戻り口３４を有している。
【００２３】
ここで、蒸発器カバー２６の冷凍室戻り風路３０の開口部下面と蒸発器２３の下面とは距離Ａだけ冷凍室戻り風路３０の開口部下面を上方に配置させている。
【００２４】
また、蒸発器カバー２６に設けた冷凍室戻り風路３０の開口部高さ寸法Ｂを、蒸発器の奥行き寸法Ｄよりも小さくしている。
【００２５】
また、蒸発器カバー２６に設けた冷凍室戻り風路３０の開口部上面位置Ｃを、蒸発器の高さ方向の中央部Ｅより下方に位置している。
【００２６】
また、蒸発器カバー２６に設けた冷凍室戻り風路３０の開口部上面の最奥部位置Ｇを、開口部下面の最奥部位置Ｆより奥側（蒸発器側）に位置している。
【００２７】
上記構成において、蒸発器２３で冷却された冷気は、送風機２４により蒸発器カバー２６の上部の吐出口２９から冷凍室１４内に吐出され、下部の冷凍室戻り風路３０から蒸発器２３に戻る。送風機２４からの冷気の一部はダンパ３２を介して冷蔵室１５、野菜室１６に吐出され、冷蔵室戻り風路３３から蒸発器２３に戻る。上記動作を繰り返し冷凍室１４、冷蔵室１５、野菜室１６を所定の温度に冷却する。蒸発器２３には冷凍室１４、冷蔵室１５、野菜室１６からの戻り冷気に含まれる水分により霜が生成される。そして、一定の運転時間ごとにラジラントヒータ２５に通電し蒸発器２３の除霜を行なう。
【００２８】
ここで、冷蔵室戻り風路３３は蒸発器２３の背面に位置し蒸発器２３の下方に戻り口３４を有し、蒸発器カバー２６の冷凍室戻り風路３０の開口部下面と蒸発器２３の下面とは距離Ａだけ冷凍室戻り風路３０の開口部下面を上方に配置させているので、冷蔵室１５、野菜室１６からの戻り冷気による着霜は蒸発器２３の下方奥面から付着させ、冷凍室１４からの戻り冷気による着霜は蒸発器２３の前面の中下段より付着させることにより、蒸発器２３の下部の集中的着霜による目詰まりを防止でき、着霜時の冷却能力を高めることができる。
【００２９】
また、蒸発器カバー２６に設けた冷凍室戻り風路３０の開口部高さ寸法Ｂを、蒸発器の奥行き寸法Ｄよりも小さくしているので、冷蔵室１５、野菜室１６からの戻り冷気による着霜は蒸発器２３の奥面を中心に、冷凍室１４からの戻り冷気による着霜は蒸発器２３の前面を中心にさせることで、蒸発器２３の下部の集中的着霜による目詰まりを防止でき、着霜時の冷却能力を高めることができる。また、冷凍室戻り風路３０の開口部高さ寸法Ｂを小さくすることで、冷凍室１４の戻り冷気の蒸発器２３での熱交換長さ（熱交換量）を大きくすることができ、着霜初期の冷却能力を高めることができる。
【００３０】
また、蒸発器カバー２６に設けた冷凍室戻り風路３０の開口部上面位置Ｃを、蒸発器２３の高さ方向の中央部Ｅより下方に位置しているので、冷凍室１４の戻り冷気は少なくとも蒸発器２３の高さの半分以上と熱交換することになり、着霜時の冷却能力を高めることができる。
【００３１】
また、蒸発器カバー２６に設けた冷凍室戻り風路３０の開口部上面の最奥部位置Ｇを、開口部下面の最奥部位置Ｆより奥側（蒸発器側）に位置しているので、除霜時、冷凍室戻り風路３０の開口部上面に付着した除霜水を蒸発器側に確実に流すことができ、冷凍室内への除霜水の流入防止効果が高まる。
【００３２】
（実施の形態２）
図４は本発明による実施の形態２の冷蔵庫の冷凍室側面断面図である。なお実施の形態１と同一構成および作用については、同一符号を付して詳細な説明を省略する。
【００３３】
図４において、蒸発器カバー２６の冷凍室戻り風路３０の前面（冷凍室内側）にガイダー３５設け、ガイダー３５は冷凍室１４の前方に向かって下方に傾斜して形成している。
【００３４】
また、蒸発器カバー２６に設けた冷凍室戻り風路３０の開口部上面形状（Ｉ面）を、蒸発器２３側に向かって下方に傾斜して形成し、冷凍室戻り風路３０の開口部下面形状（Ｊ面）を、蒸発器２３側に向かって下方に傾斜して形成している。
【００３５】
なお、冷凍室戻り風路３０の開口部上面形状（Ｉ面）と開口部下面形状（Ｊ面）の傾斜は水平面から４５°以内に設定している。
【００３６】
上記構成において、送風機２４の動作により、冷凍室１４からの戻り冷気は冷凍室戻り風路３０から蒸発器２３に戻るが、蒸発器カバー２６の冷凍室戻り風路３０の前面（冷凍室内側）の前方でかつ下方に傾斜したガイダー３５を有しているので、冷凍室１４の奥側底面付近の戻り冷気の対流を向上し、澱みを低減することができ、冷凍室１４内の温度分布改善を図ることができる。また、蒸発器２３の除霜時にラジアントヒータ２５の熱が冷凍室１４庫内に流入しにくくなるので冷凍室１４の昇温を抑制することができる。それにより、除霜効率を高めることができる。
【００３７】
また、ガイダー３５により、冷凍室１４の前面から使用者が奥面を見た時、ラジアントヒータ２５の動作中の赤熱が直接使用者の視線に入ることがないので、除霜時、使用者に不安を与えることがない。
【００３８】
また、蒸発器カバー２６に設けた冷凍室戻り風路３０の開口部上面形状（Ｉ面）を、蒸発器２３側に向かって下方に傾斜して形成し、冷凍室戻り風路３０の開口部下面形状（Ｊ面）を、蒸発器２３側に向かって下方に傾斜して形成しているので、蒸発器２３の除霜時に冷凍室戻り風路３０の開口部付近の水切りが確実にでき、付着した除霜水は蒸発器２３側に流れ、冷凍室１４内への除霜水の流入を防止できる。
【００３９】
また、冷凍室戻り風路３０の開口部上面形状（Ｉ面）と開口部下面形状（Ｊ面）の傾斜角度を水平面から４５°以内としているので、蒸発器２３での冷気対流に問題が生じない。
【００４０】
【発明の効果】
以上説明したように本発明の請求項１に記載の発明は、最下段に配置した冷凍室と、上部に配置した冷蔵室と、前記冷凍室背面に配置した蒸発器と、前記蒸発器の上方に配置した送風機と、前記蒸発器背面に設けた前記冷蔵室の戻り風路と、前記蒸発器前面に蒸発器カバーを有する冷蔵庫において、前記蒸発器カバーに前記冷凍室の戻り風路を設け、前記冷凍室の戻り風路の開口部下面を前記蒸発器の下面よりも上方に配置させるものであり、蒸発器下部の集中的付着を防止でき、着霜時の冷却能力を高めることができる。
【００４１】
また、請求項２に記載の発明は、請求項１に記載の発明において、蒸発器カバーに設けた戻り風路の開口部高さ寸法を、蒸発器の奥行き寸法よりも小さくしたものであり、蒸発器の下部の集中的着霜による目詰まりを防止でき、着霜時の冷却能力を高めることができる。また、冷凍室戻り冷気の蒸発器での熱交換長さ（熱交換量）を大きくすることができ、着霜初期の冷却能力を高めることができる。
【００４２】
また、請求項３に記載の発明は、請求項１または２に記載の発明において、蒸発器カバーに設けた戻り風路の開口部上面位置を、蒸発器の高さ方向の中央部以下としたものであり、冷凍室戻り冷気は少なくとも蒸発器高さの半分以上と熱交換することになり、着霜時の冷却能力を高めることができる。
【００４３】
また、請求項４に記載の発明は、請求項１から請求項３のいずれか一項に記載の発明において、蒸発器カバーの戻り風路の前面にガイダーを設けたものであり、冷凍室内の温度分布改善を図ることができる。また、蒸発器の除霜時の冷凍室の昇温を抑制することができる。加えて、除霜効率が向上する。
【００４４】
また、請求項５に記載の発明は、請求項４に記載の発明において、ガイダーは冷凍室前方に向かって下方に傾斜して形成したものであり、さらに冷凍室内の温度分布改善を図ることができる。
【００４５】
また、請求項６に記載の発明は、請求項１から請求項５のいずれか一項に記載の発明において、蒸発器カバーに設けた戻り風路の開口部上面形状を、蒸発器側に向かって下方に傾斜して形成したものであり、冷凍室内への除霜水の流入を防止できる。
【００４６】
請求項７に記載の発明は、請求項１から請求項６のいずれか一項に記載の発明において、蒸発器カバーに設けた戻り風路の開口部下面形状を、蒸発器側に向かって下方に傾斜して形成したものであり、冷凍室内への除霜水の流入防止効果が高まる。
【００４７】
請求項８に記載の発明は、請求項６または７に記載の発明において、蒸発器側に向かって下方に傾斜して形成する角度を水平面から４５°以内としたものであり、冷凍室内への除霜水の流入防止効果が高まるとともに、蒸発器での冷気対流に問題が生じない。
【００４８】
また、請求項９に記載の発明は、請求項１から請求項８のいずれか一項に記載の発明において、蒸発器カバーに設けた戻り風路の開口部上面の最奥部位置を、開口部下面の最奥部位置より奥側（蒸発器側）に位置するものであり、冷凍室内への除霜水の流入防止効果がさらに高まる。
【図面の簡単な説明】
【図１】本発明の実施の形態１による冷蔵庫の正面図
【図２】同実施の形態の冷蔵庫の側面断面図
【図３】同実施の形態の冷蔵庫の冷凍室側面側面図
【図４】本発明の実施の形態２による冷蔵庫の冷凍室側面断面図
【図５】従来の冷蔵庫の冷却室断面図
【符号の説明】
１３　冷蔵庫
１４　冷凍室
１５　冷蔵室
２２　圧縮機
２３　蒸発器
２４　送風機
２６　蒸発器カバー
３０　冷凍室戻り風路
３３　冷蔵室戻り風路
３５　ガイダー
【図１】
2004085070.tif 000003
【図２】
2004085070.tif 000004
【図３】
2004085070.tif 000005
【図４】
2004085070.tif 000006
【図５】
2004085070.tif 000007